(57)【要約】      （修正有）【課題】広告情報を好適に活用することが可能な端末装置及びそのプログラムを提供する。【解決手段】端末装置２００は、ダイレクトメール１０の２次元バーコードからＵＲＬを読み取り、サーバ装置４００から広告ページデータ等を取得する。そして、端末装置２００は、受信した広告ページデータのカテゴリ情報を利用者の入力に基づき決定し、広告ページデータをカテゴリ情報等の属性情報と関連付けて記憶する。【選択図】図１
2014093044.tif 000002
【特許請求の範囲】
【請求項１】
広告媒体から、当該広告媒体により広告されている商品又はサービスに関する広告情報を取得するためのアクセスコードを読み取る読み取り手段と、
前記アクセスコードに基づき、商品又はサービスに関する広告情報を管理するサーバ装置から、前記広告情報を通信手段により受信する通信制御手段と、
前記通信手段が受信した広告情報のカテゴリを外部入力に基づき決定するカテゴリ決定手段と、
前記広告情報と、前記カテゴリとを関連付けて記憶手段に記憶させる記憶制御手段と、
を有することを特徴とする端末装置。
【請求項２】
前記記憶手段に記憶された広告情報の各々を示す画像の一覧を、当該広告情報のカテゴリごとに表示手段に表示させる表示制御手段をさらに備えることを特徴とする請求項１に記載の端末装置。
【請求項３】
前記表示制御手段は、一覧表示された前記画像のいずれかが選択された場合、選択された画像に対応する広告情報を前記表示手段に表示させることを特徴とする請求項２に記載の端末装置。
【請求項４】
前記通信制御手段は、前記広告情報の有効期間を示す情報を、前記通信手段により前記サーバ装置から受信し、
前記記憶制御手段は、前記有効期間を示す情報を前記記憶手段に記憶させ、
前記広告情報の各々の前記有効期間を示す情報に基づき、曜日及び日付が表形式になったカレンダー上に、前記広告情報の各々に対応する表示を、当該広告情報の有効期間に含まれる日付の欄に対応付けて表示手段に表示させる表示制御手段を有することを特徴とする請求項１乃至３のいずれか一項に記載の端末装置。
【請求項５】
前記表示制御手段は、前記広告情報ごとに、前記有効期間に含まれる前記日付の欄に重ねて、帯状の領域を前記表示手段に表示させることを特徴とする請求項４に記載の端末装置。
【請求項６】
前記表示制御手段は、前記帯状の領域が選択された場合、当該帯状の領域に対応する広告情報を前記表示手段に表示させることを特徴とする請求項５に記載の端末装置。
【請求項７】
前記表示制御手段は、前記記憶手段に記憶されたスケジュールの情報を、前記カレンダー上にさらに表示させることを特徴とする請求項４乃至６のいずれか一項に記載の端末装置。
【請求項８】
前記表示制御手段は、前記有効期間を示す情報に基づき、前記有効期間が所定日以内に満了する広告情報の一覧を、前記表示手段に表示させることを特徴とする請求項４乃至７のいずれか一項に記載の端末装置。
【請求項９】
商品又はサービスに関する広告情報の有効期間を示す情報を記憶する記憶手段と、
前記広告情報の各々の前記有効期間を示す情報に基づき、曜日及び日付が表形式になったカレンダー上に、前記広告情報の各々に対応する表示を、当該広告情報の有効期間に含まれる日付の欄に対応付けて表示手段に表示させる表示制御手段と、
を有することを特徴とする端末装置。
【請求項１０】
前記広告情報の有効期間は、商品又はサービスに関するクーポンの利用可能期間であることを特徴とする請求項４乃至９のうちいずれか一項に記載の端末装置。
【請求項１１】
前記広告情報には、利用回数の制限があり、
前記広告情報の利用回数をカウントする利用回数カウント手段と、
前記利用回数カウント手段がカウントした回数が前記広告情報の利用可能回数に達した場合に、当該広告情報の使用を禁止する利用制限手段と、
をさらに有することを特徴とする請求項１乃至１０のいずれか一項に記載の端末装置。
【請求項１２】
前記通信手段は、決済処理を行う決済処理端末装置と接続するリーダライタと無線通信を行い、
前記利用回数カウント手段は、前記リーダライタから送信される情報に基づき、利用された広告情報を認識することを特徴とする請求項１１に記載の端末装置。
【請求項１３】
商品又はサービスに関する広告情報と、当該広告情報の利用可能回数の情報とを記憶する記憶手段と、
前記広告情報の利用回数をカウントする利用回数カウント手段と、
前記利用回数カウント手段がカウントした回数が前記広告情報の利用可能回数に達した場合に、当該広告情報の使用を禁止する利用制限手段と、
を有することを特徴とする端末装置。
【請求項１４】
請求項１乃至１３のいずれか一項に記載の端末装置として機能させることを特徴とするプログラム。
【発明の詳細な説明】
【技術分野】
【０００１】
本発明は、商品等の広告情報を処理する技術に関する。
【背景技術】
【０００２】
従来から、Ｗｅｂ（Ｗｏｒｌｄ  Ｗｉｄｅ  Ｗｅｂ）サイトなどのＷｅｂページデータに、広告に関するデータを組み込むことによって広告を閲覧させたり、電子メールを配信することによって広告を閲覧させたりすることが広く一般的に行われている。例えば、特許文献１には、携帯電話等でダイレクトメールのＱＲコードが示すＵＲＬを読み取り、当該ＵＲＬによりサーバにアクセスすることでクーポンなどの広告情報を取得する技術が開示されている。また、特許文献１のサーバ装置は、ダイレクトメールの送付対象者、ダイレクトメールに基づきサーバへアクセスした者、及び購入者等の数をそれぞれ集計し、これらの関係を示すベン図を表示する。
また、特許文献２には、電子書籍のサムネイル画像を、本棚に立てかけられた本のように表示する技術が開示されている。さらに、特許文献３には、携帯端末によりＱＲコードを読み取ることで、旅行スケジュールの情報を取得する技術が開示されている。その他、本発明に関連する技術が特許文献４及び５に開示されている。
【先行技術文献】
【特許文献】
【０００３】
【特許文献１】特開２０１１−２４２９９９号公報
【特許文献２】特開２０１２−０６９００８号公報
【特許文献３】特表２００９−２１８７７１号公報
【特許文献４】特開２００６−３３０７８１号公報
【特許文献５】特開２００１−３５１０３９号公報
【発明の概要】
【発明が解決しようとする課題】
【０００４】
紙媒体により自宅に届いたダイレクトメールの場合、利用者は、当該ダイレクトメールを放置したり携帯し忘れたりすることで使用する機会を逃すことがある。従って、この場合、紙媒体により届いたダイレクトメールの電子データを、利用者の携帯端末ごとに記憶して管理することができると便宜である。そこで、本発明は、広告情報を好適に活用することが可能な端末装置及びそのプログラムを提供することを主な目的とする。
【課題を解決するための手段】
【０００５】
本発明の１つの観点では、端末装置は、広告媒体から、当該広告媒体により広告されている商品又はサービスに関する広告情報を取得するためのアクセスコードを読み取る読み取り手段と、前記アクセスコードに基づき、商品又はサービスに関する広告情報を管理するサーバ装置から、前記広告情報を通信手段により受信する通信制御手段と、前記通信手段が受信した広告情報のカテゴリを外部入力に基づき決定するカテゴリ決定手段と、前記広告情報と、前記カテゴリとを関連付けて記憶手段に記憶させる記憶制御手段と、を有する。
【０００６】
上記のように構成された端末装置は、読み取り手段と、通信制御手段と、カテゴリ決定手段と、記憶制御手段とを有する。読み取り手段は、広告媒体から、当該広告媒体により広告されている商品又はサービスに関する広告情報を取得するためのＵＲＬなどのアクセスコードを読み取る。通信制御手段は、アクセスコードに基づき、広告情報を管理するサーバ装置から広告情報を受信する。カテゴリ決定手段は、受信した広告情報のカテゴリを外部入力に基づき決定する。記憶制御手段は、広告情報と、カテゴリとを関連付けて記憶手段に記憶させる。このようにすることで、端末装置は、各広告媒体に対応する広告情報を、利用者の入力に基づき決定したカテゴリごとに区別して、好適に管理することができる。
【０００７】
上記端末装置の一態様では、端末装置は、前記記憶手段に記憶された広告情報の各々を示す画像の一覧を、当該広告情報のカテゴリごとに表示手段に表示させる表示制御手段をさらに備える。この態様により、端末装置は、記憶された広告情報を、利用者の意図に基づき分類して表示することができるため、利用者による広告情報の管理を容易にすることができる。
【０００８】
上記端末装置の他の一態様では、前記表示制御手段は、一覧表示された前記画像のいずれかが選択された場合、選択された画像に対応する広告情報を前記表示手段に表示させる。この態様により、利用者は、カテゴリごとに分類して表示された広告情報の画像の一覧から任意の画像を選択して端末装置に表示させ、店員などに提示して広告情報を好適に使用することができる。
【０００９】
上記端末装置の他の一態様では、前記通信制御手段は、前記広告情報の有効期間を示す情報を、前記通信手段により前記サーバ装置から受信し、前記記憶制御手段は、前記有効期間を示す情報を前記記憶手段に記憶させ、前記広告情報の各々の前記有効期間を示す情報に基づき、曜日及び日付が表形式になったカレンダー上に、前記広告情報の各々に対応する表示を、当該広告情報の有効期間に含まれる日付の欄に対応付けて表示手段に表示させる表示制御手段を有する。この態様により、端末装置は、各広告情報の有効期間をカレンダー上で好適に利用者に認識させることができる。
【００１０】
上記端末装置の他の一態様では、前記表示制御手段は、前記広告情報ごとに、前記有効期間に含まれる前記日付の欄に重ねて、帯状の領域を前記表示手段に表示させる。この態様により、端末装置は、好適に、広告情報ごとの有効期間の情報を利用者に視認させることができる。
【００１１】
上記端末装置の他の一態様では、前記表示制御手段は、前記帯状の領域が選択された場合、当該帯状の領域に対応する広告情報を前記表示手段に表示させる。この態様により、端末装置は、各広告情報の有効期間を利用者に好適に確認させつつ、任意の広告情報を表示して広告内容を確認させたり、提示用に表示したりすることができる。
【００１２】
上記端末装置の他の一態様では、前記表示制御手段は、前記記憶手段に記憶されたスケジュールの情報を、前記カレンダー上にさらに表示させる。このように、端末装置は、個人のスケジュールと共に広告情報の有効期間の情報をカレンダー上に表示することで、広告情報を使用可能な日時を利用者に好適に把握させることができる。
【００１３】
上記端末装置の他の一態様では、前記表示制御手段は、前記有効期間を示す情報に基づき、前記有効期間が所定日以内に満了する広告情報の一覧を、前記表示手段に表示させる。この態様により、端末装置は、有効期限が近付いている広告情報の存在を好適に利用者に認識させることができる。
【００１４】
本発明の他の観点では、端末装置は、商品又はサービスに関する広告情報の有効期間を示す情報を記憶する記憶手段と、前記広告情報の各々の前記有効期間を示す情報に基づき、曜日及び日付が表形式になったカレンダー上に、前記広告情報の各々に対応する表示を、当該広告情報の有効期間に含まれる日付の欄に対応付けて表示手段に表示させる表示制御手段と、を有する。この構成により、端末装置は、各広告情報の有効期間をカレンダー形式により好適に利用者に認識させることができる。
【００１５】
上記端末装置の他の一態様では、前記広告情報の有効期間は、商品又はサービスに関するクーポンの利用可能期間である。これにより、端末装置は、クーポンが利用可能な日時を利用者に好適に把握させることができる。
【００１６】
上記端末装置の他の一態様では、前記広告情報には、利用回数の制限があり、端末装置は、前記広告情報の利用回数をカウントする利用回数カウント手段と、前記利用回数カウント手段がカウントした回数が前記広告情報の利用可能回数に達した場合に、当該広告情報の使用を禁止する利用制限手段と、をさらに有する。これにより、端末装置は、広告情報に利用回数の制限が設けられている場合に、設けられた利用可能回数を超えない範囲で広告情報を好適に利用者に利用させることができる。
【００１７】
上記端末装置の他の一態様では、前記通信手段は、決済処理を行う決済処理端末装置と接続するリーダライタと無線通信を行い、前記利用回数カウント手段は、前記リーダライタから送信される情報に基づき、利用された広告情報を認識する。これにより、端末装置は、広告情報の利用回数を好適に認識することができる。
【００１８】
本発明の他の観点では、端末装置は、商品又はサービスに関する広告情報と、当該広告情報の利用可能回数の情報とを記憶する記憶手段と、前記広告情報の利用回数をカウントする利用回数カウント手段と、前記利用回数カウント手段がカウントした回数が前記広告情報の利用可能回数に達した場合に、当該広告情報の使用を禁止する利用制限手段と、を有する。この態様により、端末装置は、広告情報に利用回数の制限が設けられている場合に、設けられた利用可能回数を超えない範囲で広告情報を好適に利用者に利用させることができる。
【００１９】
本発明のさらに別の観点では、プログラムは、コンピュータ装置を、上記記載のいずれかの端末装置として機能させる。これらのプログラムをコンピュータ装置にインストールして機能させることで、本発明に係る端末装置を構成させることができる。
【発明の効果】
【００２０】
本発明によれば、端末装置は、各広告媒体に対応する広告情報を、利用者の入力に基づき決定したカテゴリごとに区別して、好適に管理することができる。また、端末装置は、各広告情報の有効期間をカレンダー形式により好適に利用者に認識させることができる。また、端末装置は、広告情報に利用回数の制限が設けられている場合に、広告情報に設けられた利用可能回数を超えない範囲で、当該広告情報を好適に利用者に利用させることができる。
【図面の簡単な説明】
【００２１】
【図１】広告情報利用システムの構成を示すシステム構成図である。
【図２】（Ａ）は、ダイレクトメールの表面を示し、（Ｂ）は、ダイレクトメールの裏面を示す。
【図３】端末装置の機能ブロック図である。
【図４】端末側ＤＭ管理データベースのデータ構造の一例を示す。
【図５】サーバ装置の機能ブロック図である。
【図６】送信履歴管理情報及び購入履歴管理情報の一例である。
【図７】ＤＭ管理アプリのメニュー画面を示す。
【図８】端末装置及びサーバが実行する処理手順を示すフローチャートの一例である。
【図９】カテゴリ情報を決定するための入力画面の一例である。
【図１０】カテゴリ別表示画面の一例を示す。
【図１１】有効期間表示画面の一例を示す。
【図１２】サーバ装置が表示するベン図の一例である。
【図１３】変形例に係る端末装置の機能ブロック図である。
【図１４】変形例に係る有効期間表示画面の一例を示す。
【発明を実施するための形態】
【００２２】
以下、図面を参照しながら、本発明を実施するのに好適な実施形態について説明する。
【００２３】
＜広告情報利用システム＞
まず、図１を用いて本実施形態の広告情報利用システム１００について説明する。なお、図１は、本実施形態の広告情報利用システム１００の構成を示すシステム構成図である。
【００２４】
広告情報利用システム１００は、図１に示すように、ダイレクトメール１０を送付された利用者が使用する端末装置２００と、店舗内に固定設置されたＰＯＳレジスタ端末装置３００と、商品等に関する広告情報の管理や商品等の購入履歴の管理等を行うサーバ装置４００とを有する。ダイレクトメール１０には、商品等の広告情報とともに、ＱＲコード（登録商標）などのＵＲＬアドレスが組み込まれた２次元バーコードが印刷されている。ＵＲＬアドレスは、本発明における「アクセスコード」の一例である。
【００２５】
端末装置２００、ＰＯＳレジスタ端末装置３００及びサーバ装置４００は、インターネット、公衆電話網または店舗内ＬＡＮなどの各種のネットワーク２０に接続され、当該ネットワーク２０を介して個々にデータ通信が実行される。無線通信を行う端末装置２００は、基地局３０を介してネットワーク２０に接続され、端末装置２００と基地局３０との間は所定の無線方式によってデータ通信が実行される。
【００２６】
端末装置２００は、サーバ装置４００から受信した広告ページデータＤａを管理するためのアプリケーション（「ＤＭ管理アプリ」とも呼ぶ。）をサーバ装置４００又は他のサーバからダウンロードし、インストールしている。そして、端末装置２００は、ＤＭ管理アプリにより、ダイレクトメール１０に印刷された二次元バーコードの読み取りを実行したり、サーバ装置４００から受信した広告ページデータＤａを管理するための表示画面をディスプレイ２６１に表示したりする。ＤＭ管理アプリについては、＜ＤＭ管理アプリに基づく処理＞のセクションで詳しく説明する。
【００２７】
サーバ装置４００は、ダイレクトメール１０の裏面に記載された広告内容を示す電子データ（「広告ページデータＤａ」とも呼ぶ。）をＵＲＬアドレスに対応付けて管理し、利用者の要求（以下、「閲覧要求」という。）に基づいて該当する広告ページデータＤａを端末装置２００に送信する。ここで、広告ページデータＤａは、例えば、ブラウザにより表示するためのマークアップ言語により表されたコード、又は／及び、画像データである。そして、サーバ装置４００は、顧客が商品またはサービスに関心を示したか否かを判別するために、ＵＲＬアドレスに基づいて顧客毎に各商品における広告ページデータＤａの端末装置２００への送信の有無を記録する。
【００２８】
また、サーバ装置４００は、顧客毎の商品等の購入履歴を管理するために、ＰＯＳレジスタ端末装置３００によって実行された決済処理に基づいて、顧客毎に発行された会員カード及び決済処理時の商品等の情報を利用して顧客毎の商品等の購入履歴を管理する。具体的には、サーバ装置４００は、顧客が所定の商品等を購入した際に、ＰＯＳレジスタ端末装置３００によって会員カードから読み取った会員番号、及び、購入した商品等パッケージまたは所定のラベルから読み取った商品／サービス識別情報である商品等の識別番号（以下、「商品／サービス識別番号」という。）に基づいて顧客毎に商品等の購入の有無をデータとして収集する。
【００２９】
＜ダイレクトメール＞
次に、本実施形態のダイレクトメール１０について説明する。ダイレクトメール１０は、顧客毎に個別に送付され、複数の商品等に対する広告情報を提供し、店舗に集客するため及び商品等を購入させるための広告媒体である。図２は、本実施形態のダイレクトメール１０の一例であり、図２（Ａ）は、ダイレクトメール１０の表面を示し、図２（Ｂ）は、ダイレクトメール１０の裏面を示す。
【００３０】
ダイレクトメール１０の表面には、図２（Ａ）に示すように、顧客住所及び顧客名称を示す顧客送付情報１１と、店舗情報１２と、顧客毎に異なるＱＲコード１５とが印刷されている。ＱＲコード１５は、ＵＲＬアドレスを含む情報がコード化された２次元バーコードである。ダイレクトメール１０の裏面には、図２（Ｂ）に示すように、クーポンに関する情報が印刷されている。
【００３１】
ここで、ＱＲコード１５は、顧客毎に異なるバリアブル印刷によって形成されている。すなわち、配布される各ダイレクトメール１０の裏面は、同一の印刷がされている一方、各ダイレクトメール１０の表面に印刷された顧客送付情報１１及びＱＲコード１５は顧客毎に異なるものが印刷されている。そして、ダイレクトメール１０に掲載されたＱＲコード１５のＵＲＬアドレスは顧客毎に固有のアドレスとなる。これにより、サーバ装置４００は、当該ＵＲＬアドレスによって顧客を特定することが可能である。従って、サーバ装置４００は、ＵＲＬアドレスを管理することにより、例えば、ダイレクトメール１０によって広告情報が提供された商品またはサービスの関心の有無をデータとして収集することが可能になっている。
【００３２】
＜端末装置＞
次に、端末装置２００について説明する。端末装置２００は、スマートフォンやタブレット型ＰＣなどの携帯端末であり、ハードウェアとして、無線通信が可能なアンテナ装置、ＣＰＵ等のプロセッサ、ＲＯＭやＲＡＭといったメモリ、ディスプレイ２６１等で構成される。また、端末装置２００は、広告ページデータＤａなどを読み込んで閲覧するためのブラウザや、上述したＤＭ管理アプリを搭載している。
【００３３】
図３は、端末装置２００の機能ブロック図である。端末装置２００は、機能的には、タッチパネル２１１などの入力手段２１０、通信手段２２０、記憶手段２３０、処理手段２４０、カメラなどの撮像手段２５０、及び表示手段２６０を備える。通信手段２２０は、アンテナ受信回路等により構成され、処理手段２４０の制御に基づき、基地局３０を介して、サーバ装置４００と広告ページデータＤａなどのデータの授受を行う。表示手段２６０は、ディスプレイ２６１等によって構成され、処理手段２４０によって指示された内容を表示する。
【００３４】
処理手段２４０は、ＣＰＵ等のプロセッサによって構成され、端末装置２００の全体の制御を行う。処理手段２４０は、ＤＭ管理アプリに基づき、読み取り手段２４１と、通信制御手段２４２と、カテゴリ決定手段２４３と、記憶制御手段２４４と、表示制御手段２４５として機能する。
【００３５】
読み取り手段２４１は、撮像手段２５０により撮像されたダイレクトメール１０のＱＲコード１５の画像を解析することによってテキスト化されたＵＲＬアドレスを認識する。通信制御手段２４２は、テキスト化されたＵＲＬアドレスに基づいて広告ページデータＤａを通信手段２２０により受信する。また、このとき、通信制御手段２４２は、広告ページデータＤａに加え、広告ページデータＤａが示す広告情報が有効な期間の情報（「有効期間情報Ｉｙ」とも呼ぶ。）と、広告ページデータＤａが示す広告情報の発信元を識別する情報（「広告元識別情報Ｉｓ」とも呼ぶ。）とを受信する。そして、カテゴリ決定手段２４３は、受信した広告ページデータＤａのカテゴリを利用者の操作に基づき決定する。そして、記憶制御手段２４４は、受信した広告ページデータＤａを、カテゴリ決定手段２４３が決定したカテゴリの情報（「カテゴリ情報Ｉｃ」とも呼ぶ。）と、受信した有効期間情報Ｉｙ及び広告元識別情報Ｉｓとに関連付けて記憶手段２３０に記憶させる。これらの処理については、＜ＤＭ管理アプリに基づく処理＞の「（２）読み取り機能の実行」のセクションで詳しく説明する。
【００３６】
表示制御手段２４５は、カテゴリ情報Ｉｃに基づき、受信した広告ページデータＤａを示すアイコンを並べた表示画面（「カテゴリ別表示画面」とも呼ぶ。）を表示手段２６０に表示させる。また、処理手段２４０は、有効期間情報Ｉｙに基づき、受信した各広告ページデータＤａの広告情報の有効期間を表示した画面（「有効期間表示画面」とも呼ぶ。）を表示手段２６０に表示させる。これらの表示画面については、＜ＤＭ管理アプリに基づく処理＞の「（３）カテゴリ別表示画面の表示」及び「（４）有効期間表示画面の表示」のセクションで詳しく説明する。また、表示制御手段２４５は、ブラウザにより広告ページデータＤａをディスプレイ２６１に表示させる。
【００３７】
記憶手段２３０は、ＲＯＭやＲＡＭといったメモリによって構成される。記憶手段２３０は、有効期間情報Ｉｙなどの広告ページデータＤａに関連する情報（「属性情報Ｉｔ」とも呼ぶ。）を広告ページデータＤａに関連付けたデータベース（「端末側ＤＭ管理ＤＢ２３１」とも呼ぶ。）を有する。図４は、端末側ＤＭ管理ＤＢ２３１のデータ構造の一例を示す。図４では、ダウンロードした各広告ページデータＤａの格納場所を示すパスに対し、属性情報Ｉｔであるカテゴリ情報Ｉｃ、有効期間情報Ｉｙ、及び店舗情報Ｉｔがそれぞれ記憶されている。そして、処理手段２４０は、後述するように、端末側ＤＭ管理ＤＢ２３１を参照し、カテゴリ別表示画面や有効期間表示画面の表示等を行う。
【００３８】
＜ＰＯＳレジスタ端末装置＞
次に、図１を再び参照して本実施形態のＰＯＳレジスタ端末装置３００について説明する。ＰＯＳレジスタ端末装置３００は、図１に示すように、図示しないキーボードなどの入力デバイスとバーコードリーダ３１０とを有し、ネットワーク２０を介してサーバ装置４００と通信しつつ、顧客が購入する商品等の決済を行う決済処理端末装置である。
【００３９】
具体的には、ＰＯＳレジスタ端末装置３００は、顧客が所定の商品等を購入した際に、顧客から提示された会員カードから会員番号をバーコードリーダ３１０によって読み取るとともに、商品等のパッケージまたは所定のラベルから購入した商品またはサービスの商品／サービス識別番号をバーコードリーダ３１０によって読み取る。なお、会員カードがＩＣカードである場合には、ＰＯＳレジスタ端末装置３００は、バーコードリーダ３１０に代えて、ＩＣカードリーダライタ（不図示）により会員カードから会員番号を読み取ってもよい。
【００４０】
また、ＰＯＳレジスタ端末装置３００は、認識した会員番号及び商品／サービス識別番号に基づいて、内部に記録された予め登録された商品情報を参照し、商品等の金額、商品等の名称など各情報を認識する。また、このとき、ＰＯＳレジスタ端末装置３００は、サーバ装置４００の後述するサーバ側ＤＭ管理ＤＢ４３１を参照し、顧客名称などの顧客に関する情報（以下、「顧客情報」という。）を認識する。そして、ＰＯＳレジスタ端末装置３００は、現在時刻を管理するクロック機能を有し、決済処理時に現在時刻を認識しつつ、商品等の合計金額などの決済処理を行う。なお、ＰＯＳレジスタ端末装置３００は、内部に予め登録された顧客情報に基づいて顧客名称など顧客に関する情報を認識してもよい。
【００４１】
一方、ＰＯＳレジスタ端末装置３００は、各顧客の購入した商品等及び購入時刻などの購入履歴を管理するために、決済処理を実行した際の現在時刻の情報（以下、「購入時刻情報」という。）を、取得した会員番号と商品／サービス識別番号に対応付けてサーバ装置４００に送信する。
【００４２】
なお、広告ページデータＤａ及びダイレクトメール１０の内容がクーポンである場合、ＰＯＳレジスタ端末装置３００は、顧客が端末装置２００に表示された広告ページデータＤａ又は持参したダイレクトメール１０を提示したときに、当該広告ページデータＤａ又はダイレクトメール１０に含まれる所定のバーコードを読み取ることで、又は所定の入力操作に基づき、決済時にクーポンに基づく金額を割り引く処理を行う。また、クーポンが利用された場合には、その旨をサーバ装置４００に送信する。
【００４３】
＜サーバ装置＞
次に、サーバ装置４００について説明する。サーバ装置４００は、ハードウェアとして、無線通信が可能なアンテナ装置、ＣＰＵ等のプロセッサ、ＲＯＭやＲＡＭといったメモリ、ディスプレイ等で構成される。
【００４４】
図５は、サーバ装置４００の機能ブロック図である。サーバ装置４００は、機能的には、入力手段４１０、通信手段４２０、記憶手段４３０、処理手段４４０、及び表示手段４６０を備える。通信手段４２０は、アンテナ受信回路等により構成され、処理手段２４０の制御に基づき、ネットワーク２０を介して、端末装置２００とデータ通信を行う。表示手段４６０は、ディスプレイ等によって構成され、処理手段４４０によって指示された内容を表示する。
【００４５】
記憶手段４３０は、ＲＯＭやＲＡＭといったメモリによって構成され、広告ページデータＤａに関するサーバ側ＤＭ管理ＤＢ４３１を有する。サーバ側ＤＭ管理ＤＢ４３１には、ダイレクトメール１０の裏面に記載された広告内容を示す広告ページデータＤａと、当該広告ページデータＤａの有効期間情報Ｉｙとが、顧客毎にそれぞれのＵＲＬアドレスに対応付けられて記録されている。
【００４６】
さらに、サーバ側ＤＭ管理ＤＢ４３１には、顧客毎に、広告ページデータＤａの送信に関する管理情報（以下、「送信履歴管理情報」という。）４１１と、購入履歴に関する管理情報（以下、「購入履歴管理情報」という。）４１２とが記録されている。これについて、図６を参照して説明する。
【００４７】
図６（Ａ）は、送信履歴管理情報４１１のデータ構造を示す。図６（Ａ）に示すように、送信履歴管理情報４１１には、会員番号毎に、顧客名称と、広告ページデータＤａのＵＲＬアドレスと、当該ＵＲＬアドレス毎の広告ページデータＤａを端末装置２００に送信した時刻の情報（「アクセス時刻情報」という。）とが含まれる。また、図６（Ａ）の送信履歴管理情報４１１は、会員番号１００１の顧客名称「大日本太郎」の第１ＵＲＬアドレス「ｈｔｔｐ：／／・・・／・・１２３４／」及び第２ＵＲＬアドレス「ｈｔｔｐ：／／・・・／・・１２３４１／」の広告ページデータＤａが、アクセス時刻情報によって示された時刻に送信されていること、即ち、第１ＵＲＬアドレス及び第２ＵＲＬアドレスに該当する広告ページデータＤａが閲覧されていることを示し、その他の広告ページデータＤａについてはアクセス時刻情報が記録されていないので、未だ送信されておらず、閲覧されていないことを示す。
【００４８】
図６（Ｂ）は、購入履歴管理情報４１２のデータ構造を示す。図６（Ｂ）に示すように、購入履歴管理情報４１２としては、顧客毎に、会員番号、顧客名称及び購入した商品に対応付けられた購入時刻情報が含まれる。各購入時刻情報は、ＰＯＳレジスタ端末装置３００によって商品が決済された際に当該ＰＯＳレジスタ端末装置３００から送信された現在時刻情報である。図６（Ｂ）の購入履歴管理情報４１２は、会員番号１００１の顧客名称「大日本太郎」の第１商品□□が、購入時刻情報によって示された時刻に購入されていること、「大日本太郎」氏におけるその他の商品及び他の顧客については商品が購入されていないことを示す。
【００４９】
なお、サーバ側ＤＭ管理ＤＢ４３１には、顧客の住所または電子メールアドレスなどの顧客情報についても記録されており、ダイレクトメール１０を作成するときには、当該顧客情報が用いられる。また、サーバ側ＤＭ管理ＤＢ４３１には、クーポンが利用された場合には、利用情報として該当する顧客識別番号に対応付けてその旨が記録される。
【００５０】
再び図５に戻り、サーバ装置４００の各構成要素について説明する。処理手段４４０は、ＣＰＵ等のプロセッサによって構成され、サーバ装置４００の全体の制御を行う。処理手段４４０は、送信処理手段４４１と、受信処理手段４４２と、記憶制御手段４４３と、解析手段４４４とを備える。
【００５１】
送信処理手段４４１は、通信インターフェース４２０を介して端末装置２００との広告ページデータＤａの閲覧要求及び所定のＵＲＬアドレスを受信すると、受信したＵＲＬアドレスに基づいてサーバ側ＤＭ管理ＤＢ４３１を検索するとともに、該当する広告ページデータＤａ等を読み出す。そして、送信処理手段４４１は、通信インターフェース４２０を介して閲覧要求した端末装置２００に読み出した広告ページデータＤａ等を送信する。
【００５２】
受信処理手段４４２は、ＰＯＳレジスタ端末装置３００と連動し、顧客が商品を購入した際にＰＯＳレジスタ端末装置３００から送信された、会員番号、商品／サービス識別番号及び決済処理を実行した購入時刻情報を、通信インターフェース４２０を介して受信する。
【００５３】
記録制御手段４４３は、送信処理手段４４１が広告ページデータＤａを送信した場合に、アクセス時刻情報を、当該広告ページデータＤａのＵＲＬアドレスに対応付けて、送信履歴管理情報４１１に記録する。また、処理手段４４０は、ＰＯＳレジスタ端末装置３００から送信された会員番号と商品／サービス識別番号と購入時刻情報とを受信し、これらの情報を、購入履歴管理情報４１２に記録する。
【００５４】
解析手段４４４は、送信履歴管理情報４１１及び購入履歴管理情報４１２に基づいて、ダイレクトメール１０の宣伝効果及び販売効果を検証するための所定の解析処理を実行する。この解析手段４４４の処理については、＜解析処理＞のセクションで詳しく説明する。
【００５５】
＜ＤＭ管理アプリに基づく処理＞
次に、ＤＭ管理アプリに基づき端末装置２００が実行する処理について図７〜図１１を参照して具体的に説明する。
【００５６】
（１）ＤＭ管理アプリの起動
図７は、ディスプレイ２６１に表示されたＤＭ管理アプリのメニュー画面を示す。例えば、端末装置２００の表示制御手段２４５は、インストールされたアプリケーションのアイコンが並べられたアプリケーションの選択画面において、ＤＭ管理アプリのアイコンを選択する操作を検知した場合、図７に示すメニュー画面をディスプレイ２６１に表示する。
【００５７】
表示制御手段２４５は、図７に示すメニュー画面に、対応する各機能を実行するための選択欄４２Ａ〜４２Ｃを表示している。選択欄４２Ａが選択された場合、読み取り手段２４１等は、２次元バーコードの読み取り等の処理を実行する。この処理の詳細については、「（２）読み取り機能の実行」のセクションで詳しく説明する。また、選択欄４２Ｂが選択された場合、端末装置２００は、カテゴリ別表示画面をディスプレイ２６１に表示させる。カテゴリ別表示画面については、「（３）カテゴリ別表示画面の表示」のセクションで詳しく説明する。また、選択欄４２Ｃが選択された場合、端末装置２００は、有効期間表示画面をディスプレイ２６１に表示させる。有効期間表示画面については、「（４）有効期間表示画面の表示」のセクションで詳しく説明する。
【００５８】
また、記憶制御手段２４４は、ＤＭ管理アプリの起動時に、端末側ＤＭ管理ＤＢ２３１に記憶された各広告ページデータＤａの有効期間情報Ｉｙを参照し、当該広告ページデータＤａの有効期間が既に過ぎているか否か判定する。そして、記憶制御手段２４４は、有効期間が既に過ぎている広告ページデータＤａ及びその属性情報Ｉｔを削除する。例えば、図４に示す端末側ＤＭ管理ＤＢ２３１を記憶手段２３０が記憶していた場合であって、ＤＭ管理アプリの起動時が２０１２年１０月２２日であるときには、記憶制御手段２４４は、「・・・／ｂ．ｈｔｍｌ」及び「・・・／ｄ．ｈｔｍｌ」の広告ページデータＤａを削除すると共に、当該広告ページデータＤａに関連付けられている属性情報Ｉｔを端末側ＤＭ管理ＤＢ２３１から削除する。
【００５９】
このように、記憶制御手段２４４は、有効期間が既に過ぎている広告ページデータＤａ及びその属性情報Ｉｔを記憶手段２３０から削除する。これにより、記憶するデータ量を削減すると共に、使用できない広告ページデータＤａに関する情報が後述するカテゴリ別表示画面及び有効期間表示画面に表示されるのを好適に防ぐことができる。
【００６０】
（２）読み取り機能の実行
まず、図７のメニュー画面において、選択欄４２Ａが選択された後の処理について説明する。図８は、選択欄４２Ａが選択された場合に、端末装置２００及びサーバ装置４００が実行する処理手順を示すフローチャートの一例である。以下に述べるように、端末装置２００は、ＱＲコード１５を読み取ってサーバ装置４００から広告ページデータＤａ等を受信する処理、カテゴリ情報Ｉｃを生成する処理、広告ページデータＤａをカテゴリ情報Ｉｃを含む属性情報Ｉｔと共に記憶する処理等を実行する。
【００６１】
まず、端末装置２００の読み取り手段２４１は、選択欄４２Ａが選択された場合、撮像手段２５０を起動して撮像手段２５０が撮像した画像をディスプレイ２６１に表示させる。そして、読み取り手段２４１は、利用者の指示に基づいてダイレクトメール１０に掲載されたＱＲコード１５を撮像すると（ステップＳ１０１）、端末装置２００は、撮像したＱＲコード１５の画像を解析してテキスト化されたＵＲＬアドレスを認識する（ステップＳ１０２）。
【００６２】
次に、端末装置２００の通信制御手段２４２は、広告ページデータＤａの閲覧要求と認識したＵＲＬアドレスを暗号化してサーバ装置４００に送信し（ステップＳ１０３）、広告ページデータＤａの受信を待機する。
【００６３】
一方、サーバ装置４００においては、通信インターフェース４２０が、端末装置２００から送信された閲覧要求とＵＲＬアドレスの暗号化データを受信し、送信処理手段４４１は、受信した暗号化データを復号化する（ステップＳ２０１）。そして、送信処理手段４４１は、ＵＲＬアドレスに基づいてサーバ側ＤＭ管理ＤＢ４３１を検索し、該当する広告ページデータＤａ、有効期間情報Ｉｙ及び広告元識別情報Ｉｓを端末装置２００に暗号化して送信する（ステップＳ２０２）。
【００６４】
次いで、記録制御手段４４３は、受信したＵＲＬアドレスに対応する会員番号と、広告ページデータＤａの送信時刻であるアクセス時刻情報とを、受信したＵＲＬアドレスに関連付けてサーバ側ＤＭ管理ＤＢ４３１に記録し（ステップＳ２０３）、本動作を終了する。
【００６５】
他方、端末装置２００の通信制御手段２４２は、広告ページデータＤａ等の暗号化データを受信し、当該暗号化データの復号を行う（ステップＳ１０４）。次に、端末装置２００のカテゴリ決定手段２４３は、受信した広告ページデータＤａが示す広告のカテゴリを決定するための入力を受け付ける画面を表示し、入力手段２１０への入力に基づき、上述のカテゴリを示すカテゴリ情報Ｉｃを生成する（ステップＳ１０５）。この処理については、図９を参照して後述する。
【００６６】
そして、端末装置２００の記憶制御手段２４４は、広告ページデータＤａを、有効期間情報Ｉｙ、広告元識別情報Ｉｓ、及びカテゴリ情報Ｉｃと関連付けて端末側ＤＭ管理ＤＢ２３１に記憶する（ステップＳ１０６）。そして、端末装置２００の表示制御手段２４５は、ブラウザを起動して広告ページデータＤａを画面に表示し（ステップＳ１０７）、フローチャートの処理を終了する。
【００６７】
次に、図９を参照して、ステップＳ１０５の処理の具体例について説明する。図９は、ステップＳ１０５において端末装置２００のカテゴリ決定手段２４３が表示するカテゴリ情報Ｉｃを決定するための入力画面の一例である。
【００６８】
図９の入力画面では、カテゴリ決定手段２４３は、ダウンロードした広告ページデータＤａの広告情報が該当するカテゴリを選択すべき旨を表示すると共に、タッチパネル２１１の操作により選択可能な選択ボタン４１Ａ〜４１Ｄを表示する。
【００６９】
そして、カテゴリ決定手段２４３は、選択ボタン４１Ａ〜４１Ｃのいずれかが選択された場合、選択された選択ボタンに対応するカテゴリをカテゴリ情報Ｉｃに定める。具体的には、端末装置２００は、操作により選択ボタン４１Ａが選択された場合、カテゴリ情報Ｉｃを「レストラン」に定める。同様に、端末装置２００は、操作により選択ボタン４１Ｂが選択された場合、カテゴリ情報Ｉｃを「自然食品」に定め、操作により選択ボタン４１Ｃが選択された場合、カテゴリ情報Ｉｃを「衣類」に定める。
【００７０】
また、カテゴリ決定手段２４３は、選択ボタン４１Ｄが選択された場合、テキストを入力するためのウィンドウをさらに表示し、利用者が当該ウィンドウ上で入力した内容を、カテゴリ情報Ｉｃに定める。このように、利用者は、任意のカテゴリを作成し、広告ページデータＤａを分類することができる。そして、この場合、カテゴリ決定手段２４３は、広告ページデータＤａが再びダウンロードされて図９に示す入力画面を表示する場合、利用者が作成したカテゴリに対応する選択ボタンを選択ボタン４１Ａ〜４１Ｄに加えて表示する。
【００７１】
以上のように、端末装置２００は、利用者の意思に基づき、ダウンロードされた広告ページデータＤａを任意のカテゴリに分類して記憶することができる。
【００７２】
（３）カテゴリ別表示画面の表示
次に、図７のメニュー画面で選択欄４２Ｂが選択された場合に表示されるカテゴリ別表示画面について説明する。図１０は、カテゴリ別表示画面の一例を示す。
【００７３】
図１０に示すカテゴリ別表示画面では、端末装置２００の表示制御手段２４５は、表示対象となる広告ページデータＤａのカテゴリを選択するためのプルダウンメニュー４３と、広告ページデータＤａのサムネイル４５を複数段にわたり並べて表示するサムネイル表示領域４４とをディスプレイ２６１に表示させている。サムネイル４５は、例えば、広告ページデータＤａが示すダイレクトメール１０の裏面を縮小させた画像である。また、ここでは、端末装置２００の表示制御手段２４５は、サムネイル表示領域４４を、複数の段（ここでは５段）に分割している。
【００７４】
端末装置２００の表示制御手段２４５は、プルダウンメニュー４３の表示領域がタッチパネル２１１により選択された場合、端末側ＤＭ管理ＤＢ２３１に記憶されているカテゴリ情報Ｉｃが示すカテゴリの種類を一覧表示する。例えば、図４の端末側ＤＭ管理ＤＢ２３１を参照した場合、端末装置２００の表示制御手段２４５は、現在表示されている「レストラン」の項目に加え、「自然食品」の項目や「衣類」の項目を表示する。なお、端末装置２００の表示制御手段２４５は、プルダウンメニュー４３に「全てのカテゴリ」の項目を設け、当該項目が選択された場合に、端末側ＤＭ管理ＤＢ２３１に記憶されている全ての広告ページデータＤａのサムネイル４５をサムネイル表示領域４４に表示させてもよい。
【００７５】
そして、端末装置２００の表示制御手段２４５は、プルダウンメニュー４３で選択された項目に対応するカテゴリ情報Ｉｃと関連付けられた広告ページデータＤａを、端末側ＤＭ管理ＤＢ２３１を参照して認識し、これらに対応するサムネイル４５をサムネイル表示領域４４に表示する。図１０では、端末装置２００は、「レストラン」をカテゴリ情報Ｉｃとして有する１０個の広告ページデータＤａのサムネイル４５を、サムネイル表示領域４４の上３段にわたり並べて表示する。
【００７６】
このように、端末装置２００の表示制御手段２４５は、本棚に本を表紙が見えるように並べた場合と同様の視覚上の印象を利用者が持つように、サムネイル表示領域４４に広告ページデータＤａのサムネイル４５を並べて表示する。これにより、端末装置２００の表示制御手段２４５は、ダウンロードされた広告ページデータＤａの一覧を、カテゴリごとに好適に利用者に視認させることができる。
【００７７】
また、端末装置２００の表示制御手段２４５は、いずれかのサムネイル４５がタッチパネル２１１の操作に基づき選択された場合、選択されたサムネイル４５に対応する広告ページデータＤａを拡大してディスプレイ２６１に表示させる。例えば、端末装置２００の表示制御手段２４５は、選択されたサムネイル４５に対応する広告ページデータＤａをディスプレイ２６１上に全画面表示させる。これにより、操作者は、広告ページデータＤａの内容を確認したり、商品等の決済処理時に、ディスプレイ２６１を店舗スタッフに提示し、表示されたクーポンによる特典を受けたりすることができる。
【００７８】
（４）有効期間表示画面の表示
次に、図７のメニュー画面で選択欄４２Ｃが選択された場合に表示される有効期間表示画面について説明する。図１１は、有効期間表示画面の一例を示す。図１１では、図４に示す端末側ＤＭ管理ＤＢ２３１に基づき、端末装置２００の表示制御手段２４５が有効期間表示画面をディスプレイ２６１上に表示している。
【００７９】
図１１に示す有効期間表示画面では、端末装置２００の表示制御手段２４５は、対象月表示領域５１と、対象月変更ボタン５２Ｌ、５２Ｒと、カレンダー表示領域５３と、期限通知領域５４とを表示している。対象月表示領域５１では、端末装置２００は、カレンダー表示領域５３で表示する対象となる年月（図１１では２０１２年１０月）を表示する。また、端末装置２００は、対象月変更ボタン５２Ｌが選択された場合、対象月表示領域５１及びカレンダー表示領域５３に表示する月を一ヶ月前に戻す。また、端末装置２００は、対象月変更ボタン５２Ｒが選択された場合、対象月表示領域５１及びカレンダー表示領域５３に表示する月を一ヶ月後に進める。
【００８０】
カレンダー表示領域５３では、端末装置２００の表示制御手段２４５は、対象月表示領域５１にて指定された月の各日付を、表形式にして曜日と対応付けて表示する。なお、端末装置２００の表示制御手段２４５は、現在の日付（ここでは１４日）の領域を、色を付して強調表示している。
【００８１】
そして、端末装置２００の表示制御手段２４５は、端末側ＤＭ管理ＤＢ２３１を参照し、現在の日付から月末までの期間に有効期間情報Ｉｙが示す期間が重なる広告ページデータＤａについて、対応する帯状のアイコン５５Ａ〜５５Ｄを表示する。このとき、端末装置２００の表示制御手段２４５は、アイコン５５Ａ〜５５Ｄを、対応する有効期間情報Ｉｙが示す期間に含まれる日付の領域上に、広告元識別情報Ｉｓを付して表示する。例えば、格納場所が「・・・／ａ．ｈｔｍｌ」の広告ページデータＤａに対応する有効期間情報Ｉｙが示す期間は、２０１２年１０月の毎週土曜日（図４参照）であるため、端末装置２００の表示制御手段２４５は、現在の日付以後の土曜日である２０日と２７日に、広告元識別情報Ｉｓである「○×レストラン」を付したアイコン５５Ａを表示する。同様に、端末装置２００の表示制御手段２４５は、各広告ページデータＤａの有効期間情報Ｉｙに基づき、広告元識別情報Ｉｓである「×○食品」を付したアイコン５５Ｂを１４日から１９日の領域上に表示する。また、表示制御手段２４５は、広告元識別情報Ｉｓである「□×ショップ」を付したアイコン５５Ｃを２１日から２６日の領域上に表示し、広告元識別情報Ｉｓである「△○服店」を付したアイコン５５Ｄを１４日から１６日の領域上に表示する。
【００８２】
このように、表示制御手段２４５は、カレンダー表示領域５３の表示対象となる月に有効期間が含まれる広告ページデータＤａについて、その有効期間の日付の領域上に帯状のアイコン５５Ａ〜５５Ｄを表示する。これにより、各広告ページデータＤａの有効期間を利用者に容易に把握させることができる。
【００８３】
また、期限通知領域５４では、端末装置２００の表示制御手段２４５は、１週間以内に全ての有効期間が過ぎる広告ページデータＤａを一覧表示する。具体的には、アイコン５５Ｄに対応する広告ページデータＤａの有効期間が１６日までであること、及び、アイコン５５Ｂに対応する広告ページデータＤａの有効期間が１９日までであることから、表示制御手段２４５は、これらの広告ページデータＤａの広告元識別情報Ｉｓを、期限通知領域５４に並べて表示する。このように、端末装置２００は、有効期間の満了日が近づいている広告ページデータＤａを一覧表示することで、利用者に間もなく使用できなくなる広告ページデータＤａの存在を好適に知らせることができる。
【００８４】
また、端末装置２００は、いずれかのアイコン５５Ａ〜５５Ｄがタッチパネル２１１の操作に基づき選択された場合、選択されたアイコン５５Ａ〜５５Ｄに対応する広告ページデータＤａを拡大してディスプレイ２６１に表示させる。例えば、端末装置２００は、選択されたアイコン５５Ａ〜５５Ｄに対応する広告ページデータＤａをディスプレイ２６１上に全画面表示させる。これにより、操作者は、広告ページデータＤａの内容を確認したり、購入する商品等の決済処理時に、ディスプレイ２６１を店舗スタッフに提示し、表示されたクーポンによる特典を受けたりすることができる。
【００８５】
＜解析処理＞
次に、サーバ装置４００の解析手段４４４が実行する処理について具体的に説明する。
【００８６】
図１２は、解析結果の一例であって、解析処理によって生成されたベン図である。
【００８７】
解析手段４４４は、ダイレクトメール１０を送付した顧客数とアクセス時刻情報の記録の有無を含む送信履歴管理情報４１１と、店舗での商品又はサービスの購入の有無を判定するための購入時刻情報を含む購入履歴管理情報４１２に基づいて、ダイレクトメール対象者、広告ページデータＤａをダウンロードした広告ページダウンロード者、及び広告ページデータＤａ又はダイレクトメール１０に基づきクーポンを利用した者をそれぞれ認識する。そして、図１２に示すように、解析手段４４４は、これらの関係を、会員及び非会員に分けて、集合的にかつ視覚的に図式化したベン図を作成して表示手段４６０に表示させる。
【００８８】
また、サーバ装置４００は、図１２に示すベン図に基づき、（１）ダイレクトメール１０を送付したが、広告ページデータＤａをダウンロードせず、クーポンも利用していない者（即ち、領域６１に属する者）、（２）ダイレクトメール１０を送付した結果、広告ページデータＤａをダウンロードしたが、クーポンを利用していない者（即ち、領域６２に属する者）、（３）ダイレクトメール１０を送付した結果、広告ページデータＤａをダウンロードし、クーポンを利用した者（即ち、領域６３に属する者）、（４）ダイレクトメール１０を送付したが、広告ページデータＤａをダウンロードせず、クーポンを利用していない者の（１）〜（４）のいずれに各会員が属するか認識する。
【００８９】
そして、サーバ装置４００は、各会員が（１）〜（４）のいずれに属するかに応じて、当該会員に対する今後の対応を変化させる。例えば、（１）の領域６１に属する会員は、ダイレクトメール１０に全く反応していないことから、サーバ装置４００は、これらの会員に対し、購買意欲を高めさせるためにメールマガジンの送信をすべきと判断する。また、（２）の領域６２に属する会員はダイレクトメール１０には反応していることから、サーバ装置４００は、これらの会員に対し、引き続きダイレクトメール１０の送付対象に定める。また、（３）の領域６３に属する会員は、ダイレクトメール１０に反応し、実際にクーポンを使用していることから、サーバ装置４００は、これらの会員を優良会員であるとみなす。また、（４）の領域６４に属する会員は、広告ページデータＤａをダウンロードせずにダイレクトメール１０によりクーポンを利用していることから、サーバ装置４００は、これらの会員を引き続き印刷物であるダイレクトメール１０の送付対象に定める。
【００９０】
＜本実施形態の広告情報利用システムによる作用効果＞
本実施形態の広告情報利用システム１００によれば、端末装置２００は、ダイレクトメール１０のＱＲコード１５からＵＲＬを読み取り、サーバ装置４００から広告ページデータＤａ等を取得する。そして、端末装置２００は、受信した広告ページデータＤａのカテゴリ情報Ｉｃを利用者の入力に基づき決定し、広告ページデータＤａをカテゴリ情報Ｉｃ等の属性情報Ｉｔと関連付けて記憶する。このようにすることで、端末装置２００は、各ダイレクトメール１０に対応する広告ページデータＤａを、利用者の入力に基づき決定したカテゴリごとに区別して、好適に管理することができる。また、端末装置２００は、広告ページデータＤａをカテゴリ情報Ｉｃが示すカテゴリごとに分けて一覧表示するカテゴリ別表示画面を好適に表示することができる。
【００９１】
また、有効期間表示画面では、端末装置２００は、端末側ＤＭ管理ＤＢ２３１に記憶された有効期間情報Ｉｙに基づき、カレンダー表示領域５３上に、各広告ページデータＤａに対応するアイコン５５Ａ〜５５Ｄを表示する。これにより、端末装置２００は、各広告ページデータＤａの有効期間をカレンダー形式により好適に利用者に認識させることができる。
【００９２】
＜変形例＞
次に、本実施形態の変形例について説明する。以下の変形例は、上述の実施形態に任意に組み合わせて適用することができる。
【００９３】
（変形例１）
端末装置２００は、広告ページデータＤａが示す内容が利用回数の制限があるクーポンである場合には、利用回数をカウントし、カウントした利用回数が所定の利用可能回数に達した場合に、当該クーポンの使用を禁止してもよい。
【００９４】
図１３は、変形例１に係る端末装置２００のブロック構成図を示す。図１３に示すように、端末装置２００は、利用回数カウント手段２４６と、利用制限手段２４７とを有する。
【００９５】
この場合、例えば、端末装置２００の通信制御手段２４２は、広告ページデータＤａと共に上述の利用可能回数の情報をサーバ装置４００から受信し、記憶制御手段２４４は、当該利用可能回数の情報を端末側ＤＭ管理ＤＢ２３１に記憶する。このとき、端末装置２００の記憶制御手段２４４は、利用回数の情報を、初期値である０に設定して利用可能回数と共に端末側ＤＭ管理ＤＢ２３１に記憶する。
【００９６】
また、ＰＯＳレジスタ端末装置３００は、図１３に示すように、端末装置２００の通信手段２２０と近距離無線通信（ＮＦＣ：Ｎｅａｒ  Ｆｉｅｌｄ  Ｃｏｍｍｕｎｉｃａｔｉｏｎ）が可能なリーダライタ３１０Ａをさらに有し、利用者は、クーポンの使用時に当該リーダライタ３１０Ａに端末装置２００をかざす。この場合、端末装置２００の利用回数カウント手段２４６は、リーダライタから送信される情報に基づき、クーポンとして使用された広告ページデータＤａを認識し、端末側ＤＭ管理ＤＢ２３１に記憶された対応する利用回数を１だけ増やす。このとき、端末装置２００の利用制限手段２４７は、利用回数が対応する利用可能回数に達したか否か判定し、利用回数が利用可能回数に達した場合には、対応する広告ページデータＤａ及びその属性情報Ｉｔを端末側ＤＭ管理ＤＢ２３１から削除する。
【００９７】
このように、本変形例における広告情報利用システム１００は、利用可能回数が設定されたクーポンの管理を好適に実行することができる。
【００９８】
（変形例２）
図１１に示す有効期間表示画面のカレンダー表示領域５３において、端末装置２００は、スケジュールの予約機能により予め登録された利用者のスケジュールの情報を読み込んでアイコン５５Ａ〜５５Ｄと共に表示させてもよい。
【００９９】
図１４は、本変形例による有効期間表示画面の一例である。図１４に示すように、端末装置２００は、予め端末装置２００に登録されたスケジュールを示すアイコン５６Ａ〜５６Ｃを、カレンダー表示領域５３上に表示している。
【０１００】
このように、端末装置２００は、各広告ページデータＤａの有効期間と共に個人のスケジュールの情報を表示することで、広告ページデータＤａの広告情報を利用するために店舗に行くことができる日を容易に利用者に把握させることができる。
【０１０１】
（変形例３）
図８のフローチャートでは、端末装置２００は、２次元バーコードを解析してＵＲＬアドレスを認識した場合、直ちに閲覧要求とＵＲＬアドレスをサーバ装置４００に送信した。これに代えて、端末装置２００は、ＵＲＬアドレスを認識した場合、当該ＵＲＬアドレスをディスプレイ２６１に表示させ、ＵＲＬアドレスにアクセスする旨の操作を検知した場合に、閲覧要求とＵＲＬアドレスをサーバ装置４００に送信してもよい。
【０１０２】
（変形例４）
広告ページデータＤａは、ダイレクトメール１０の裏面の内容を表示するための画像又はコードであることに限られない。例えば、ダイレクトメール１０の表面にも広告内容が印刷されていた場合には、広告ページデータＤａは、ダイレクトメール１０の表面及び裏面の内容を表示するための画像又はコードであってもよい。また、広告ページデータＤａが示す内容は、ダイレクトメール１０に印刷された広告内容と同一でなくともよい。例えば、広告ページデータＤａは、ダイレクトメール１０には記載されていないクーポンの内容や商品の詳細な説明等を含むものであってもよい。
【０１０３】
（変形例５）
図１０に示すカテゴリ別表示画面では、端末装置２００は、１つのカテゴリ（図１０ではレストラン）に該当する広告ページデータＤａを示すサムネイル４５の一覧をサムネイル表示領域４４に表示した。これに代えて、端末装置２００は、複数のカテゴリに該当する広告ページデータＤａを示すサムネイル４５の一覧を、カテゴリごとに区分けしてサムネイル表示領域４４上に表示してもよい。例えば、端末装置２００は、サムネイル表示領域４４の段ごとに、同一のカテゴリに属する広告ページデータＤａを示すサムネイル４５を並べて表示する。これによっても、端末装置２００は、好適に、カテゴリ情報Ｉｃに基づき、広告ページデータＤａのサムネイル４５を並べて表示することができる。
【０１０４】
（変形例６）
図８のフローチャートのステップＳ１０４では、端末装置２００は、サーバ装置４００から、有効期間情報Ｉｙや広告元識別情報Ｉｓを広告ページデータＤａと共に受信した。これに代えて、端末装置２００は、広告ページデータＤａのみをサーバ装置４００から受信し、受信した広告ページデータＤａに含まれる文字を解析することで、有効期間情報Ｉｙや広告元識別情報Ｉｓを認識してもよい。
【符号の説明】
【０１０５】
１０  …  ダイレクトメール（ＤＭ）
１１  …  顧客送付情報
１２  …  店舗情報
１３  …  地図情報
１５  …  ＱＲコード
２０  …  ネットワーク
３０  …  基地局
１００  …  広告情報利用システム
２００  …  端末装置
３００  …  ＰＯＳレジスタ端末装置
３１０  …  バーコードリーダ
４００  …  サーバ装置
【図１】
2014093044.tif 000003
【図２】
2014093044.tif 000004
【図３】
2014093044.tif 000005
【図４】
2014093044.tif 000006
【図５】
2014093044.tif 000007
【図６】
2014093044.tif 000008
【図７】
2014093044.tif 000009
【図８】
2014093044.tif 000010
【図９】
2014093044.tif 000011
【図１０】
2014093044.tif 000012
【図１１】
2014093044.tif 000013
【図１２】
2014093044.tif 000014
【図１３】
2014093044.tif 000015
【図１４】
2014093044.tif 000016